(57)【要約】 【課題】演出表示装置等の種々の装置を大型化した場合にも、遊技領域における設計の自由度を確保することができる遊技機の盤面構造を提供する。【解決手段】遊技領域１１０は複数のレール部材によって囲繞形成される。排出口１２１を境にしてガイド通路１０６と反対側の下方には、遊技面１０２から前面側に突出するように表示装置１５０が固定される。遊技領域１１０の底面は、表示装置１５０の傾斜面１５０ａに沿って固定される底面レール１５１と、ガイド通路１０６と遊技領域１１０とを区画する内レール１０５と、によって区画される。底面レール１５１の傾斜角度は内レール１０５の傾斜角度よりも緩やかに形成される。底面レール１５１は、表示装置１５０の上面である傾斜面１５０ａよりも排出口１２１側に突出する突出部位１５１ａを有し、この突出部位１５１ａを内レール１０５の下端１０５ｂの上方に臨ませる。【選択図】図３
2011110179.tif 000002
【特許請求の範囲】
【請求項１】
接地面に接地する枠体に保持された遊技盤と、
該遊技盤の所定の一面によって形成される遊技面と、
該遊技面に起立して固定される複数のレール部材と、
該レール部材によって前記遊技面上に囲繞形成される遊技領域と、
前記遊技面の幅方向の一端近傍において高さ方向に延伸して設けられ、前記遊技領域の上方に遊技球を導くガイド通路と、
該ガイド通路から導かれて前記遊技領域を転動する遊技球が入球可能な入球口と、 
該入球口に入球しなかった遊技球を前記遊技領域から排出する排出口と、を備え、
前記遊技領域の底面を区画形成するレール部材の高さ位置を、前記遊技面の幅方向外側から前記排出口に臨む位置に向かって徐々に低くして、前記入球口に入球しなかった遊技球を前記レール部材によって前記排出口に導く遊技機の盤面構造において、
前記遊技面の幅方向において前記排出口を境にして前記ガイド通路とは反対側であって、かつ、前記遊技面の高さ方向において前記排出口と略同じ高さ位置に、前記遊技面から突出して固定される遊技装置と、
該遊技装置の上面に沿って固定され、前記遊技領域の底面を区画形成する第１レール部材と、
該第１レール部材に連続して前記遊技領域の底面を区画形成する第２レール部材と、を備え、
前記第２レール部材は、前記排出口に臨む最も低い位置から前記ガイド通路側に向かって上方に傾斜する内側傾斜部と、該内側傾斜部に連続するとともに前記排出口に臨む最も低い位置から前記遊技装置側に向かって上方に傾斜する外側傾斜部と、を有し、
前記遊技装置の上面は、前記排出口側から前記遊技面の幅方向外側に向かって上方に傾斜するとともに、この傾斜角度を前記第２レール部材の内側傾斜部の傾斜角度よりも小さくしてなり、
前記第１レール部材は、前記遊技装置の上面よりも前記排出口側に突出するとともに、この突出部位を前記第２レール部材の外側傾斜部の上方に臨ませてなることを特徴とする遊技機の盤面構造。
【発明の詳細な説明】
【技術分野】
【０００１】
本発明は、遊技球が遊技領域を転動、流下する遊技機の盤面構造に関する。 
【背景技術】
【０００２】
従来、遊技領域に設けられた入球口に遊技球が入球すると、所定の賞球が払い出されたり、あるいは遊技者に有利な特別遊技を実行する権利獲得の抽選が行われたりする遊技機が知られている。こうした遊技機においては、遊技領域のもっとも低い位置に排出口が設けられ、いずれの入球口にも入球しなかった遊技球が排出口を通じて遊技盤の背面側に排出されるようにしている。
近年においては、演出効果を高めるべく、遊技領域を区画形成するレール部材の内側に大型の演出表示装置や演出役物装置が設けられるとともに、遊技領域の外側（レール部材の外側）にも、遊技結果を報知する装置や演出用の装置等、種々の遊技装置が設けられている。
【先行技術文献】
【特許文献】
【０００３】
【特許文献１】特開２００９−１２５１５０号公報
【発明の概要】
【発明が解決しようとする課題】
【０００４】
しかしながら、上記のように演出表示装置や演出役物装置を大型化すると、その分、遊技領域が狭くなってしまい、入球口の配置や、こうした入球口等に遊技球を導くための釘や風車の配置等の設計の自由度が失われてしまう。
このように、従来の遊技機の盤面構造においては、演出表示装置や演出役物装置といった演出用の装置の大型化による演出効果の向上と、遊技領域の確保による設計の自由度の確保とを両立するのが難しいという問題があった。
特に、近年においては、特許文献１に示すように、演出表示装置を境にして遊技領域の左右にさまざまな入球口が配置され、遊技の進行状況に応じて遊技球を左右に打ち分けさせるといった遊技機の盤面構造が広く採用されている。こうしたいわゆる右打ちを可能とする遊技機の盤面構造においては、演出表示装置の右側に遊技球が転動する領域を確保する必要性から、どうしても演出表示装置を小型化せざるを得えないという問題があった。
【０００５】
本発明は、演出表示装置等の種々の装置を大型化した場合にも、遊技領域における設計の自由度を確保することができる遊技機の盤面構造を提供することを目的とする。 
【課題を解決するための手段】
【０００６】
本発明は、接地面に接地する枠体に保持された遊技盤と、該遊技盤の所定の一面によって形成される遊技面と、該遊技面に起立して固定される複数のレール部材と、該レール部材によって前記遊技面上に囲繞形成される遊技領域と、前記遊技面の幅方向の一端近傍において高さ方向に延伸して設けられ、前記遊技領域の上方に遊技球を導くガイド通路と、該ガイド通路から導かれて前記遊技領域を転動する遊技球が入球可能な入球口と、該入球口に入球しなかった遊技球を前記遊技領域から排出する排出口と、を備え、前記遊技領域の底面を区画形成するレール部材の高さ位置を、前記遊技面の幅方向外側から前記排出口に臨む位置に向かって徐々に低くして、前記入球口に入球しなかった遊技球を前記レール部材によって前記排出口に導く遊技機の盤面構造において、前記遊技面の幅方向において前記排出口を境にして前記ガイド通路とは反対側であって、かつ、前記遊技面の高さ方向において前記排出口と略同じ高さ位置に、前記遊技面から突出して固定される遊技装置と、該遊技装置の上面に沿って固定され、前記遊技領域の底面を区画形成する第１レール部材と、該第１レール部材に連続して前記遊技領域の底面を区画形成する第２レール部材と、を備え、前記第２レール部材は、前記排出口に臨む最も低い位置から前記ガイド通路側に向かって上方に傾斜する内側傾斜部と、該内側傾斜部に連続するとともに前記排出口に臨む最も低い位置から前記遊技装置側に向かって上方に傾斜する外側傾斜部と、を有し、前記遊技装置の上面は、前記排出口側から前記遊技面の幅方向外側に向かって上方に傾斜するとともに、この傾斜角度を前記第２レール部材の内側傾斜部の傾斜角度よりも小さくしてなり、前記第１レール部材は、前記遊技装置の上面よりも前記排出口側に突出するとともに、この突出部位を前記第２レール部材の外側傾斜部の上方に臨ませてなることを特徴とする。 
【発明の効果】
【０００７】
本発明によれば、遊技領域の下方、特には排出口を境にしてガイド通路とは反対側の領域を広く確保することができる。したがって、仮に演出表示装置や演出役物装置等、演出用の装置を大型化したとしても、遊技領域の下方に入球口等を配置することが可能となり、演出効果の向上と、遊技領域の確保による設計の自由度の向上とを両立することができる。  
また、第１レール部材を遊技装置の上面から排出口側に突出させるとともに、当該突出部位を第２レール部材の上方に臨ませたので、第１レール部材と第２レール部材との継ぎ目に隙間が生じることがない。
したがって、遊技領域の下方の領域を広く確保するために第１レール部材の傾斜角度を緩やかにしても、レール部材の継ぎ目に生じる隙間によって遊技球の転動が妨げられることがなく、遊技球を確実にかつ速やかに排出口から排出することが可能となる。
【図面の簡単な説明】
【０００８】
【図１】遊技機の開放状態を示す斜視図である。
【図２】遊技機の正面図である。
【図３】遊技盤の正面図である。
【図４】ユニット装置の斜視図である。
【図５】図３の部分拡大図である。
【図６】表示装置を背面側から見た分解斜視図である。
【発明を実施するための形態】
【０００９】
以下、本発明の実施形態について図面を参照しながら具体的に説明する。
図１、図２に示すように、遊技機１は、支持体２と、この支持体２に回転可能に枢支された透過部材保持枠５および遊技盤保持枠６と、を備えている。支持体２は、上板２ａ、下板２ｂ、側板２ｃ，２ｄによって四辺を構成する枠体からなる。各板２ａ〜２ｄは、変形や歪みが生じにくい木材等を材質とするもので、略長方形状に囲繞空間が形成されるように連結金具によって連結されている。
そして、これら連結金具のうち、上板２ａと側板２ｃとを連結する金具および側板２ｃと下板２ｂとを連結する金具には、一対のヒンジ４ａ，４ｂが、遊技機１の前面側に突出した位置で対面するように固定されており、これら一対のヒンジ４ａ，４ｂに透過部材保持枠５および遊技盤保持枠６が枢支されている。
【００１０】
具体的には、透過部材保持枠５には、側辺５ｃの上方に突出する枢支軸１６ａ、および側辺５ｃの下方に突出する枢支軸１６ｂが固定されており、枢支軸１６ａがヒンジ４ａに、枢支軸１６ｂがヒンジ４ｂに回転可能に枢支されている。これにより、透過部材保持枠５が支持体２に対して開閉可能に支持されることとなる。
なお、図１は、支持体２に対して透過部材保持枠５が開放され、遊技盤保持枠６が支持体２に対して閉じられた状態を示しているが、これら透過部材保持枠５および遊技盤保持枠６を支持体２に対して閉じた状態では、支持体２、透過部材保持枠５および遊技盤保持枠６が全て略平行に位置することとなる。
【００１１】
透過部材保持枠５は、支持体２と同様に、上辺５ａ、下辺５ｂ、側辺５ｃ，５ｄからなる四辺によって略長方形状の囲繞空間が形成される枠体からなり、後述する遊技盤１０１の前面を覆う透過部材７が囲繞空間に固定される。本実施形態においては、透明のガラス板によって透過部材７を構成しているが、この透過部材７を介して後述する遊技盤１０１が見えるものであれば、その材質や形状は特に問わず、例えば合成樹脂等によって構成してもよい。また、透過部材保持枠５の材質も特に問わないが、軽量化や装飾性の向上の目的から合成樹脂性とすることが望ましく、特にこの場合には補強金具８を固定して歪みや変形を防止するとよい。
なお、図２に示すように、遊技機１の前面すなわち透過部材保持枠５の前面には、装飾ランプ９、遊技球を発射するための操作ハンドル１０、払い出された賞球を溜める上皿１１、スピーカー１２が固定されている。また、図１に示すように、上記の補強金具８や、上皿１１に賞球を送球する供給路１３、装飾ランプ９の照射方向を変更するためのモーター等を制御する制御基板１４が、透過部材保持枠５の背面側に位置するように設けられている。
【００１２】
また、ヒンジ４ａ，４ｂには、透過部材保持枠５と同様に、遊技盤保持枠６が回転可能に枢支されている。図１に示すように、遊技盤保持枠６は、上辺６ａ、下辺６ｂ、側辺６ｃ，６ｄからなる四辺によって略長方形状の囲繞空間が形成される枠体からなり、この囲繞空間に図３に示す遊技盤１０１が固定される。透過部材保持枠５および遊技盤保持枠６が閉じられて遊技が可能な状態では、遊技盤１０１に所定の間隔を維持して略平行に透過部材７が対面するとともに、遊技盤１０１の前面が透過部材７によって覆われる。
説明の都合上、図１においては遊技盤１０１を省略しているが、遊技盤１０１の背面には遊技の進行を制御するさまざまな制御基板が固定されている。また、遊技盤保持枠６において、遊技盤１０１の固定位置の下方には、スピーカー１９や、操作ハンドル１０の操作に応じて遊技球を発射する発射装置２０等が固定され、その背面にはさらに各種の制御基板が固定されている。
【００１３】
図３を用いて、遊技盤１０１について説明する。
上記したとおり、遊技盤保持枠６に固定される遊技盤１０１は、接地面に対して略垂直に位置する遊技面１０２が、上記透過部材７を介して遊技機１の正面に臨んで位置している。つまり、透過部材保持枠５および遊技盤保持枠６が支持体２に対して閉じられて遊技を可能な状態では、遊技面１０２が透過部材７を介して遊技者に対面することとなる。
この遊技面１０２の幅方向の一端近傍（図中左側近傍）には、その高さ方向に延伸するようにして、薄板細長形状の金属部材からなる外レール１０３が垂直に起立して固定されている。このとき、外レール１０３は、その下端１０３ａを遊技面１０２の正面視で左下に位置させ、上端１０３ｂを遊技面１０２の正面視で右上に位置させており、下端１０３ａから上端１０３ｂまでが、遊技面１０２の左側面および上面近傍を、円弧を描くように湾曲して固定されている。また、遊技面１０２の幅方向の他端近傍（図中右側近傍）には、遊技面１０２の正面視で上方から下方に向かって起立面１０４ａを延設する飾り部材１０４が設けられている。この飾り部材１０４は、起立面１０４ａの起立高さを外レール１０３の起立高さと同じにしており、起立面１０４ａを外レール１０３の内側面に連続させている。
【００１４】
また、遊技面１０２の正面視で左側端部近傍には、外レール１０３と同様の薄板細長形状の金属部材からなる内レール１０５が、垂直に起立して固定されている。この内レール１０５は、外レール１０３よりも遊技面１０２の内側に配置され、その上端１０５ａを遊技面１０２の正面視で左上に位置させ、下端１０５ｂを遊技面１０２の正面視で右下に位置させている。このとき、内レール１０５は、外レール１０３と所定の間隔をもって対向配置されており、当該内レール１０５と外レール１０３との間には、遊技球が通過可能なガイド通路１０６が形成されている。このガイド通路１０６は、図１に示すように、接続通路２１を介して発射装置２０に接続され、発射装置２０によって発射された遊技球が、接続通路２１およびガイド通路１０６を介して、遊技面１０２の下方から上方に向かって飛び出すようにしている。
【００１５】
また、上記内レール１０５は、その下端１０５ｂが、遊技面１０２の幅方向の中心線Ｌ１よりも遊技面１０２の正面視で右側に位置するように固定されている。このとき、内レール１０５は、中心線Ｌ１近傍においてもっとも低くなるとともに、このもっとも低い位置から下端１０５ｂに向かって右上方に緩やかに傾斜するように湾曲している。
そして、遊技面１０２の下面近傍であって、中心線Ｌ１よりも遊技面１０２の正面視で右側には表示装置１５０が設けられている。詳しくは後述するが、この表示装置１５０は、遊技面１０２から突出して固定されており、遊技面１０２の幅方向の中心側から外側に向かって上方に緩やかに傾斜する直線状の傾斜面１５０ａを有し、この傾斜面１５０ａに沿って底面レール１５１が固定されている。
【００１６】
これにより、外レール１０３→飾り部材１０４→表示装置１５０→内レール１０５が連続することとなり、これら各部材によってガイド通路１０６および遊技領域１１０が隣接した状態で囲繞形成されることとなる。
具体的には、外レール１０３の下端１０３ａから図中符号１０３ｃで示す部分と、内レール１０５の上端１０５ａに固定された逆流防止部材１０７から図中符号１０５ｃで示す内レール１０５の部分と、によってガイド通路１０６が区画形成される。また、外レール１０３のうち図中符号１０３ｃで示す部分〜上端１０３ｂ、飾り部材１０４の起立面１０４ａ、表示装置１５０の傾斜面１５０ａに固定された底面レール１５１および内レール１０５によって遊技領域１１０が区画形成される。
なお、本実施形態における底面レール１５１が本発明の第１レール部材に相当し、内レール１０５が本発明の第２レール部材に相当する。
【００１７】
以下では、遊技領域１１０の幅方向の中心線をＬ２とし、遊技領域１１０の高さ方向の中心線をＬ３としたときに、これら両中心線Ｌ２，Ｌ３によって区画される象限のうち、遊技面１０２の正面視で、左上の象限を第１上部領域１１０ａとし、右上の象限を第２上部領域１１０ｂとし、左下の象限を第１下部領域１１０ｃとし、右下の象限を第２下部領域１１０ｄとして説明する。
なお、遊技領域１１０の幅方向の中心線Ｌ２は、遊技面１０２の幅方向の中心線Ｌ１よりも、当該遊技面１０２の正面視で右側に位置しているが、これは、遊技面１０２の左側端部近傍にガイド通路１０６が設けられているためである。
【００１８】
遊技面１０２には、遊技領域１１０の略半分に相当する広さにわたって演出装置固定孔１１１が形成されている。この演出装置固定孔１１１は、遊技領域１１０の上端近傍からその高さ方向の略２／３に及ぶ範囲に形成されており、また、遊技領域１１０の幅方向においては、ガイド通路１０６に隣接する範囲の一部を除くほぼ全域にわたって形成されている。
この演出装置固定孔１１１は、遊技中にさまざまな演出を表示する液晶表示装置等の演出表示装置や演出役物装置等を固定するためのもので、その周囲には、遊技面１０２から遊技機１の正面に向かって起立する起立壁１１２が形成され、遊技領域１１０を転動、流下する遊技球が演出装置に衝突しないようにしている。したがって、実際に遊技球が転動するのは、遊技領域１１０のうち演出装置固定孔１１１を除いた部分ということになる。
なお、第１上部領域１１０ａおよび第１下部領域１１０ｃにおいては、演出装置固定孔１１１の縁から起立する起立壁１１２と、外レール１０３および内レール１０５との間隔を、多数の釘が打ち込める程度に広くしている。これにより、演出装置固定孔１１１の左側においては、遊技球が多数の釘や風車に衝突しながら、その転動方向を不規則にして第１上部領域１１０ａから第１下部領域１１０ｃへと流下することとなる。
【００１９】
一方、第２上部領域１１０ｂおよび第２下部領域１１０ｄにおいては、演出装置固定孔１１１の縁から起立する起立壁１１２と、外レール１０３および飾り部材１０４との間隔を、遊技球が通過可能な程度、言い換えれば、釘を打ち込むと遊技球が通過できなくなる程度にまで狭くしている。したがって、発射装置２０の発射強度を強くして演出装置固定孔１１１の右側に遊技球を発射した場合には、遊技球は飾り部材１０４の起立面１０４ａに固定された緩衝ゴム１１３に衝突した後、第２上部領域１１０ｂから第２下部領域１１０ｄへと起立壁１１２に沿ってほぼまっすぐに流下することとなる。
また、演出装置固定孔１１１の下縁には、遊技球が転動可能なステージ１１４が形成されており、第１上部領域１１０ａを流下する遊技球の一部が、導入通路１１５を介してステージ１１４上に導かれるようにしている。このステージ１１４は、上記中心線Ｌ３よりも下方、より詳細には、遊技領域１１０の高さ方向において、その上端から略２／３程度の場所に位置している。
【００２０】
そして、遊技領域１１０において、ステージ１１４の下方には、多数の釘が打ち込まれるとともに、複数の一般入賞口１１６、第１始動口１１７、第２始動口１１８、ゲート１１９、大入賞口１２０、排出口１２１が設けられている。
一般入賞口１１６は、第１下部領域１１０ｃにおいて、内レール１０５に沿うようにして４つ設けられている。これら各一般入賞口１１６には、検出スイッチがそれぞれ設けられており、検出スイッチが遊技球の入球を検出すると、所定の賞球が払い出されるように制御手段が処理を行う。
第１始動口１１７は、ステージ１１４の直下であって、遊技領域１１０の幅方向の中心線Ｌ２上に位置している。この第１始動口１１７は、遊技領域１１０の左側すなわち第１上部領域１１０ａおよび第１下部領域１１０ｃから流下する遊技球のみが入球可能な高さ位置に配置されている。そして、第１始動口１１７にも検出スイッチが設けられており、この検出スイッチが遊技球の入球を検出すると、所定の賞球が払い出されるとともに、遊技者に有利な特別遊技の実行の有無の決定（以下「大当たりの抽選」という）が行われる。
【００２１】
第２始動口１１８は、第２下部領域１１０ｄに設けられている。第２始動口１１８は、一対の可動片１１８ａを有しており、これら一対の可動片１１８ａが図示の開状態と、図中点線で示す閉状態とに可動制御される。なお、第２始動口１１８が閉状態となっているときには、当該第２始動口１１８の真上に位置する入球阻止片１２２が障害物となって、遊技球の受入れを不可能または困難としている。一方で、第２始動口１１８が開状態に制御されているときには、上記一対の可動片１１８ａが受け皿として機能し、第２始動口１１８への遊技球の入球が容易となる。つまり、第２始動口１１８は、閉状態にあるときには遊技球がほとんど入球することはなく、開状態にあるときには遊技球が容易に入球することとなる。この第２始動口１１８にも検出スイッチが設けられており、この検出スイッチが遊技球の入球を検出すると、所定の賞球が払い出されるとともに、上記第１始動口１１７に遊技球が入球したときと同様に大当たりの抽選が行われる。
【００２２】
ゲート１１９は、第２下部領域１１０ｄにおいて、第２始動口１１８よりも遊技面１０２の正面視で右側であって、当該第２始動口１１８とほぼ同じ高さ位置に配置されている。このゲート１１９は、遊技球が通過可能に設けられており、当該ゲート１１９を通過した遊技球が、さらに遊技領域１１０上を転動、流下するようにしている。このゲート１１９にも遊技球の通過を検出する検出スイッチが設けられており、この検出スイッチが遊技球の通過を検出すると、第２始動口を開放するか否かを決定する普通図柄の抽選が行われる。この普通図柄の抽選によって当たりに当選すると、設定されている遊技状態に応じて第２始動口１１８が所定の態様で開放される。
【００２３】
大入賞口１２０は、第２下部領域１１０ｄにおいて上記第２始動口１１８の直下に設けられている。この大入賞口１２０は、通常は、開閉扉１２０ａによって閉状態に維持されているが、上記第１始動口１１７または第２始動口１１８に遊技球が入球して所定の抽選結果が得られた場合に、所定の態様で開放されて遊技球が入球可能となる。この大入賞口１２０にも遊技球の入球を検出する検出スイッチが設けられており、この検出スイッチが遊技球の入球を検出すると、所定の賞球が払い出される。
なお、本実施形態においては、第２始動口１１８、ゲート１１９および大入賞口１２０には、第２上部領域１１０ｂおよび第２下部領域１１０ｄから流下する遊技球のみが入球または通過しうるようにしており、第１上部領域１１０ａおよび第１下部領域１１０ｃから流下する遊技球は、第１始動口１１７または一般入賞口１１６にのみ入球しうるようにしている。
【００２４】
排出口１２１は、遊技領域１１０の幅方向の中心線Ｌ２上であって、遊技領域１１０のもっとも低い位置に設けられている。この排出口１２１は、上記一般入賞口１１６、第１始動口１１７、第２始動口１１８、大入賞口１２０のいずれにも入球しなかった遊技球を、遊技盤１０１の背面側に排出するためのものである。
なお、一般入賞口１１６、第１始動口１１７、第２始動口１１８、大入賞口１２０が本発明の入球口を構成している。
【００２５】
ここで、本実施形態においては、第２始動口１１８、大入賞口１２０、入球阻止片１２２、および、大当たりの抽選結果等を表示するための表示装置１５０を一体的に備えたユニット装置Ｕが、第２下部領域１１０ｄに固定されている。このユニット装置Ｕについて、図４を用いて説明する。
【００２６】
図４はユニット装置Ｕの斜視図であるが、この図４に示すように、ユニット装置Ｕは、遊技面１０２に固定される装飾部材１６１を備えている。この装飾部材１６１は、図３に示すように、その平面１６１ａを遊技機１の正面側に臨ませた状態で遊技面１０２に固定され、ユニット装置Ｕは第２下部領域１１０ｄの下方に配置されることとなる。
装飾部材１６１の平面１６１ａの上部には、入球阻止片１２２を垂直に突設させており、その直下に第２始動口１１８が設けられている。この第２始動口１１８は、断面コ字形の箱部材１１８ｂを有しており、その開口を上方に臨ませた状態で平面１６１ａから突出するように固定されている。そして、箱部材１１８ｂの開口には、上記した一対の可動片１１８ａが設けられており、一対の可動片１１８ａ上に流下した遊技球が、箱部材１１８ｂ内に導かれるとともに、当該箱部材１１８ｂから遊技盤１０１の背面側に排出されるようにしている。なお、装飾部材１６１の背面側には、一対の可動片１１８ａを開閉するための可動ソレノイドを有する第２始動口可動装置１１８ｃが固定されている。
【００２７】
また、装飾部材１６１の平面１６１ａであって箱部材１１８ｂの直下には、当該平面１６１ａを貫通する大入賞口１２０が形成されており、この大入賞口１２０には開閉扉１２０ａが設けられている。この開閉扉１２０ａが閉成している状態では大入賞口１２０に遊技球が入球することはないが、開閉扉１２０ａが開放されると、当該開閉扉１２０ａが遊技球を大入賞口１２０に導く受け皿として機能する。なお、装飾部材１６１の背面側には、一対の大入賞口１２０を開閉するための可動ソレノイドを有する大入賞口開閉装置１２０ｂが固定されており、大入賞口１２０に入球した遊技球が、大入賞口開閉装置１２０ｂを介して遊技盤１０１の背面側に排出されるようにしている。
【００２８】
そして、装飾部材１６１の平面１６１ａであって、大入賞口１２０のさらに下方には、ランプやＬＥＤを点灯または点滅表示して遊技結果を遊技者に報知する表示装置１５０がビス止めによって固定されている。この表示装置１５０は、遊技の進行を制御する制御手段に接続されており、第１始動口１１７または第２始動口１１８に遊技球が入球して行われる大当たりの抽選の結果や、第１始動口１１７や第２始動口１１８に遊技球が入球して留保されている大当たりの抽選の権利の数（保留数）、普通図柄の抽選結果等、制御手段の処理結果（遊技結果）が表示される。
【００２９】
この表示装置１５０は、その厚さｘを、上記した外レール１０３、飾り部材１０４の起立面１０４ａおよび内レール１０５の起立高さとほぼ等しくしている。また、表示装置１５０は、その正面視で上方に臨む面を直線状の傾斜面１５０ａとしている。この傾斜面１５０ａは、図５に示すように、排出口１２１側から遊技面１０２の幅方向外側に向かって上方に傾斜しており、外レール１０３および内レール１０５と同様の金属部材からなる底面レール１５１が固定されている。この底面レール１５１は、その一端を、表示装置１５０の傾斜面１５０ａよりも排出口１２１側に突出する突出部位１５１ａとしており、この突出部位１５１ａを上記の内レール１０５の下端１０５ｂの上方に臨ませている。この底面レール１５１と内レール１０５との関係について以下に詳細に説明する。
【００３０】
すなわち、表示装置１５０は、遊技面１０２の幅方向において排出口１２１を境にしてガイド通路１０６とは反対側であって、かつ、遊技面１０２の高さ方向において排出口１２１と略同じ高さ位置に固定されている。
一方、内レール１０５は、排出口１２１に臨む部分をその高さ方向において最も低い位置としおり、この最も低い位置からガイド通路１０６側に向かって上方に傾斜する部分を内側傾斜部１０５ｄとし、この内側傾斜部１０５ｄに連続するとともに、排出口１２１に臨む最も低い位置から表示装置１５０側に向かって上方に傾斜する部分を外側傾斜部１０５ｅとしている。そして、底面レール１５１の突出部位１５１ａを、外側傾斜部１０５ｅの先端すなわち内レール１０５の下端１０５ｂの上方に臨ませることにより、底面レール１５１と内レール１０５とを重ねるようにして位置させている。これにより、遊技領域１１０の底面を区画形成するレール部材が隙間なく連続するとともに、当該遊技領域１１０の底面を区画形成するレール部材の高さ位置が、遊技面１０２の幅方向外側から排出口１２１に臨む位置に向かって徐々に低くなり、いずれの入球口にも入球しなかった遊技球が排出口１２１に導かれることとなる。
【００３１】
そして、表示装置１５０の傾斜面１５０ａ（底面レール１５１ａ）は、内レール１０５の内側傾斜部１０５ｄよりも傾斜角度を緩やかにしている。つまり、第１下部領域１１０ｃと第２下部領域１１０ｄとにおいて、遊技領域１１０の幅方向の中心線Ｌ２を境にして、ガイド通路１０６に対応する位置まで遊技領域１１０が形成されるように、傾斜面１５０ａ（底面レール１５１ａ）の傾斜角度が設定されている。これにより、第２下部領域１１０ｄの面積は、第１下部領域１１０ｃに比べて広く形成されることとなる。
ここで、上記のようにして第２下部領域１１０ｄの面積を広く確保するために、表示装置１５０の傾斜面１５０ａ（底面レール１５１ａ）の傾斜角度を緩やかにすると、排出口１２１に向かう遊技球の転動速度が遅くなってしまう。そのため、内レール１０５の下端１０５ｂと、底面レール１５１の突出部位１５１ａとの間に隙間等が生じると、この隙間に遊技球が閊えて転動しなくなってしまうおそれがある。
また、通常、内レール１０５は、遊技面１０２にピンやビスを所定の間隔で突き刺して固定するが、このとき下端１０５ｂをビス等で遊技面１０２に固定することが望ましい。なぜなら、下端１０５ｂを遊技面１０２に固定しないと、遊技球が下端１０５ｂ（外側傾斜部１０５ｅ）上を転動するたびに、下端１０５ｂを下方に押し曲げる力が作用して、内レール１０５（外側傾斜部１０５ｅ）が歪んでしまうおそれがあるからである。
【００３２】
ところが、内レール１０５の下端１０５ｂを表示装置１５０に近接させてビス等で固定しようとすると、当該ビスが表示装置１５０に干渉してしまうおそれがあるため、下端１０５ｂは、表示装置１５０から離間させた状態でビス止めしなければならない。また、下端１０５ｂの位置に、遊技面１０２に設けられた装飾部材（例えば排出口を縁取った部材）等がある場合のように、下端１０５ｂをビス止めすることができないこともある。このように、内レール１０５の下端１０５ｂを、表示装置１５０に近接させてビス止めすることができないと、上記のように遊技球が排出口１２１に排出されなくなってしまったり、内レール１０５が歪んでしまったりする。そこで、本実施形態においては、表示装置１５０の傾斜面１５０ａに沿って固定される底面レール１５１を、傾斜面１５０ａよりも排出口１２１側に突出させるとともに、この排出口１２１側に突出する突出部位１２１ａを外側傾斜部１０５ｅの上方に臨ませるようにしたのである。
これにより、内レール１０５（外側傾斜部１０５ｅ）の下端１０５ｂを、表示装置１５０から離間した状態でビス等によって固定したとしても、内レール１０５と底面レール１５１との間に隙間が生じることがない。また、遊技球が下端１０５ｂ上を直接転動することがなくなるため、下端１０５ｂを下方に押し曲げる力が作用することもなくなる。したがって、下端１０５ｂを遊技面１０２に固定することができなくても特段の問題が生じることがない。
【００３３】
なお、傾斜面１５０ａにレール部材１５１を固定する際には、これら両者間に、レール部材１５１に衝突する遊技球の衝撃を緩衝するための緩衝部材や、遊技球がレール部材１５１に衝突した際に生じるノイズを除去するノイズ除去部材を介在させることが望ましい。具体的には、傾斜面１５０ａと底面レール１５１との間に、ゴム等からなる弾性部材を介在させることで、緩衝機能とノイズ除去機能との双方を同時に実現することができる。
また、各レール部材の材質は特に問わないが、特に遊技領域１１０の底面を区画形成する底面レール１５１や内レール１０５は遊技球による衝撃を受けやすく、また、一度歪んでしまうと遊技球が停留してしまうといった問題が生じることから、金属製とすることが望ましい。
【００３４】
また、傾斜面１５０ａや底面レール１５１に衝撃が与えられると、表示装置１５０に設けられた制御基板が損傷するおそれがある。そこで、本実施形態においては、表示装置１５０を図６に示すように構成し、制御基板が損傷しないようにしている。具体的には、表示装置１５０は、傾斜面１５０ａ、低面１５０ｂ、側面１５０ｃ，１５０ｄが一体成形された断面台形状のケース１５２を備えており、このケース１５２の空間を塞ぐようにして、表示装置１５０の背面側から制御基板１５４が固定される。
【００３５】
制御基板１５４は、その外周面が、ケース１５２の内周囲と一致する形状を有しており、ＬＥＤ等からなる発光体がケース１５２内の空間に位置するように、回路上に配設されている。一方、表示面１５３には、制御基板１５４に搭載された発光体に対応する位置に孔が形成されており、表示装置１５０を正面から見たときに、いずれの発光体が発光しているのかを視認できるようにしている。
また、ケース１５２には一対のビス止め孔１５５が設けられており、制御基板１５４には、上記一対のビス止め孔１５５に対応する貫通孔１５６が形成されている。制御基板１５４は、ビス止め孔１５５に貫通孔１５６を一致させた状態でビス１５７を取り付けることにより、ケース１５２に固定される。このとき、ビス止め孔１５５と貫通孔１５６との間には、リング状のゴムからなる緩衝材１５８を介在させている。これにより、傾斜面１５０ａ（底面レール１５１）に遊技球が衝突して生じる衝撃が、制御基板１５４に伝達するのを緩衝することができ、制御基板１５４の損傷を防ぐことができる。
【００３６】
以上のように、本実施形態によれば、遊技面１０２の正面視で右下に位置する第２下部領域１１０ｄが、遊技面１０２の正面視で左下に位置する第１下部領域１１０ｃに比べて広く確保される。この第２下部領域１１０ｄは、従来、右打ち遊技が可能な遊技機において、演出表示装置の右側に設けられていた第２始動口１１８、ゲート１１９、大入賞口１２０を全て演出表示装置の下方に設けることが可能な程度に確保されている。したがって、演出装置固定孔１１１すなわち演出表示装置や演出役物装置を、遊技領域１１０の右端部近傍まで延設することができ、大型の演出装置による演出効果の向上と、遊技領域１１０の確保による設計の自由度の確保とを両立することができる。
【００３７】
しかも、表示装置１５０の傾斜面１５０ａに沿って固定される底面レール１５１を、傾斜面１５０ａから排出口１２１側に突出させて突出部位１５１ａとし、この突出部位１５１ａを内レール１０５の下端１０５ｂの上方に臨ませたので、底面レール１５１と内レール１０５との継ぎ目に隙間が生じることがない。
したがって、遊技領域１１０の下方の領域を広く確保するために底面レール１５１の傾斜角度を緩やかにしても、継ぎ目に生じる隙間によって遊技球の転動が妨げられることがなく、遊技球を確実にかつ速やかに排出口１２１から排出することが可能となる。
【００３８】
なお、本実施形態における表示装置１５０が本発明の遊技装置に相当する。また、上記実施形態においては、大当たりの抽選の権利の数や遊技結果が表示される表示装置１５０を本発明の遊技装置として説明したが、遊技装置としての役割は特に問わず、例えば演出を行うための装置であっても構わない。
また、本実施形態においては、傾斜面１５０ａ（底面レール１５１）を直線状に形成することとしたが、傾斜面１５０ａ（底面レール１５１）は直線に限らず、曲線状に湾曲させて形成することとしてもよい。いずれにしても、第１下部領域１１０ｃの面積よりも、第２下部領域１１０ｄの面積が広くなる範囲であって、しかも、排出口１２１に向かって高さ位置が徐々に低くなる関係を維持していればよい。
【符号の説明】
【００３９】
６        遊技盤保持枠 
１０１    遊技盤 
１０２    遊技面 
１０３    外レール 
１０５    内レール 
１０５ｄ  内側傾斜部
１０５ｅ  外側傾斜部
１０６    ガイド通路 
１１０    遊技領域 
１１６    一般入賞口 
１１７    第１始動口 
１１８    第２始動口 
１２０    大入賞口 
１２１    排出口 
１５０    表示装置
１５０ａ  傾斜面
１５１    底面レール
１５１ａ  突出部位
【図１】
2011110179.tif 000003
【図２】
2011110179.tif 000004
【図３】
2011110179.tif 000005
【図４】
2011110179.tif 000006
【図５】
2011110179.tif 000007
【図６】
2011110179.tif 000008